(57)【要約】【課題】使用上の風合いとともに、液拡がりを維持しつつ、下層側への液引込み力の向上、並びに液保持性の向上を図った吸収性物品を提供する。【解決手段】表面シートと、裏面シートと、前記両シートの間に配置された吸収体とを有する吸収性物品であって、  前記吸収体は、吸収体長手方向に沿って吸収体の両側方が折り畳まれて積層された上層部と下層部との多層構造を有し、前記下層部には前記上層部の幅方向中央部よりも凹凸高密度化された圧縮領域がある吸収性物品。【選択図】図１
2010104546.tif 000002
【特許請求の範囲】
【請求項１】
表面シートと、裏面シートと、前記両シートの間に配置された吸収体とを有する吸収性物品であって、  前記吸収体は、吸収体長手方向に沿って吸収体の両側方が折り畳まれて積層された上層部と下層部との多層構造を有し、前記下層部には前記上層部の幅方向中央部よりも凹凸高密度化された圧縮領域がある吸収性物品。
【請求項２】
前記下層部の凹凸高密度化された圧縮領域は、高圧搾部からなる凹部と低圧搾部からなる凸部が交互に吸収性物品の長手方向に連続して形成された請求項１に記載の吸収性物品。
【請求項３】
前記吸収体の長手方向に沿う両側部が裏面シート側に折り畳まれてなす前記下層部の両側部同士が互いに部分的に重なり、又はその側部端において互いに当接し、かつ前記下層部の中央領域は、その両側部よりも高密度である請求項１又は２記載の吸収性物品。
【発明の詳細な説明】
【技術分野】
【０００１】
本発明は、人体に装着されて排泄された体液等を吸収する吸収性物品に関する。
【背景技術】
【０００２】
例えば女性の生理用ナプキンやパンティライナ、高齢者あるいは幼児用のおむつなどの分泌液等の吸収性物品においては、従来から機能性や着用感を向上させるために種々の改良が加えられて今日に至っている。具体的には、肌側に接する表面シート、衣服に接する裏面シート、これらの両シート間に挟み込まれる吸収体などの各構成部材において要求される機能を高める素材の開発、それらの部材の形態や構造の改良、あるいはそれらの組み合せなどが検討され、試みられてきた。
この中で形態に工夫を凝らしたものとして、特許文献１には、パルプ積繊分布を必要な部分にのみ多く積繊させるために、台紙上の幅方向中央部にパルプ繊維を積繊し、台紙の幅方向両端部を折り重ねて吸収体を形成し、かつ台紙上の幅方向中央部および幅方向一端部または両端部にパルプ繊維を積繊する工程を有する吸収体の製造方法が開示されている。
【０００３】
また、他の例として、特許文献２に示すように、吸収体心綿で構成したパネルを中央と両側の３区画に区分けし、両側のサイドパネルを中央のミドルパネルの片面側へ折り重ねて吸収材コア体を形成し、これを液透過性カバーで上張りして吸収材製品としたものが知られている。
また、特許文献３には、裏面シート側及び／又は表面シート側から陥没する多数の圧縮部が互いに離間して形成されており、圧縮部は液吸収によってその厚みが液吸収前よりも増加するようになされている吸収性物品が開示されている。この物品は具体的には、吸収体の片面が陥没するように吸収体材料にエンボス加工を施し、陥没していない平滑面を肌面側に向けて配置した生理用ナプキンである。この生理用ナプキンによれば、表面シートからの液の引込み性、及び吸収ポイント近くでの液の保持性に優れるとされる。
【０００４】
さらに、特許文献４には、不織布を多層積層したシート材であって、所定方向に沿って層状態が変化した層状態変化領域を有しており、層状態変化領域が所定方向に折り重ねられることによって、不織布積層体の各層の層状態が不織布積層体の厚み方向に異なるようにすることが記載されている。具体的に、上記層状態は、各層におけるエンボスの数や大きさを変えることにより異なるものとされている。この不織布積層シートは表面シート若しくは吸収体と表面シートとに介在される拡散層として好適に用いられるとされる。
【特許文献１】特開平１１−１３７６０４号公報
【特許文献２】特開平７−１６３６１９号公報
【特許文献３】特開２００６−５５３５２号公報
【特許文献４】特開２００７−１６８２１９号公報
【発明の開示】
【発明が解決しようとする課題】
【０００５】
この種の吸収性物品としては、通常、液吸収性を高めるために、パルプ繊維層を圧縮して引き込みを良くすることが行われている。圧縮によって繊維層の密度を上げるには、吸収体をエンボス加工する方法が採用される。パルプ繊維体としての吸収体の液拡がり面積及び液残り量を、馬血滴下について試験してみると、拡がり面積はエンボス無しの場合よりも、エンボス加工を行い、かつ、そのエンボス率（後述）を高めた方が液拡がりが増加し、表面の液残り量についても、エンボス無しの場合よりもエンボス率を高めた吸収体の方が大きく低下するのが確められている。
【０００６】
しかし、単純に吸収体全域にエンボス加工を行うと、（イ）吸収体全体が硬くなり、使用者に不快感を与える、（ロ）安心感やフィット感を得る「吸収体厚み」が確保し難く、厚みと吸収性のバランスを確保するのが困難であり、さらに（ハ）表面の拡散面積が広がることで周囲へ液が拡がり易くなり、液漏れを誘発する原因となりうる。
【０００７】
上述した特許文献１に記載の吸収体の製造方法及び製造装置は、必要な箇所にパルプ層を積繊して部分的に高坪量とした吸収体が得られる利点はあるものの、台紙上に個別にパルプ繊維層を必要量積繊した上で前記台紙を折り重ねるという工程を経なければならないので、工程全体として手数がかかり、また積繊装置も比較的複雑である。
特許文献２に記載された吸収材製品は、簡単な折り畳み工程で吸収体コアを製作できるものの、折り畳んだ各層の厚みが均等で、かつ、上層にエンボス部があるため、上層で液が拡がり、肌に接する上層では液の吸収効果が低く、その結果、上層から側部へ向って液漏れが起き易い。
【０００８】
また、特許文献３の構造は、圧縮部における液保持機能が向上し、液戻りが少ないという利点はあるものの、一層の吸収体に下面側からエンボス打ちを行うため、吸収体上部で高密度となり、上面での液拡散が若干生じ易いといった難点も指摘される。
【０００９】
本発明は、上記の課題に鑑み、使用上の風合いとともに、液拡がりを維持しつつ、下層側への液引込み力の向上、並びに液保持性の向上を図った吸収性物品を提供することにある。
【課題を解決するための手段】
【００１０】
上記の目的を達成するため、本発明の吸収性物品は、表面シートと、裏面シートと、前記両シートの間に配置された吸収体とを有する吸収性物品であって、前記吸収体は、吸収体長手方向に沿って吸収体の両側方が折り畳まれて積層された上層部と下層部との多層構造を有し、前記下層部には前記上層部の幅方向中央部よりも凹凸高密度化された圧縮領域がある。
【発明の効果】
【００１１】
本発明によれば、下層の液引込み性の向上及び上層での液拡散の抑制により、上層表面でのドライ感が得られ、また、側部での吸収体の折り曲げにより、側部液漏れの防止と柔軟性の向上を達成できる。
【発明を実施するための最良の形態】
【００１２】
以下に本発明をその好ましい実施形態に基づき説明するが、本発明はこれらにより限定して解釈されるものではない。
【００１３】
本発明の実施形態を説明するに先立ち、本発明で用いられる幾つかの用語について、その定義を以下に記載する。
本発明において、「凹凸高密度化」は、繊維から構成される構造部材を圧縮して凹凸賦形した場合、少なくとも凹部の繊維密度が高まることを表現している。この場合、凸部の繊維密度は高くなる場合もあるし、実質変わらない場合もある。例えば、通常のエンボス加工はこの凹凸高密度化に含まれる。具体的には、エンボスロール乃至これとフラットロールとの組合せにより点エンボス若しくは線状エンボスにより凹凸賦形することが挙げられ、フラットロールにより部材の全体若しくはまとまった領域を平押し圧縮することは含まない。上記エンボスの大きさは特に限定されないが、点エンボスであれば１点の面積が１〜３０ｍｍ２であることが好ましく、線状エンボスであれば線幅が１〜５ｍｍであることが好ましい。線状エンボスにおいて、１つの線内に高圧縮部と低圧縮部とを設けてもよく、それぞれの長さは特に限定されないが、例えば０．５〜５ｍｍであることが好ましい。
【００１４】
本発明において「積層する」とは、２つの部材が接しながら積層することのほか、両部材間の間に他のシート部材や接着剤等を介在させることも含む。そして本発明の吸収性物品においては、上層部と下層部とがほぼ同じ横幅で積層されることが好ましい。この場合、１枚の吸収体素材を中央で２つに折り畳んで上層部と下層部を構成するか、あるいは吸収体素材の両側部分をそれぞれ中央部の下面に接するように折り畳んで２層構造としてもよい。場合によっては、両側部の端部が互いに部分的に重なるように折り畳んで一部分３層構造となるようにしてもよい。
【００１５】
本発明の吸収性物品においては、吸収体の下層部には上層部の幅方向中央部より凹凸高密度化されている部分があるが、下層部において凹凸高密度化された圧縮領域は使用者の概ね排泄部（例えば膣口）に対向する部分を含む領域（本発明においては、吸収性物品における当該領域を「排泄部対応位置」という。）に形成されることが好ましい。この排泄部対応位置は排泄部に対向する部分を含めばその吸収体ないし吸収性物品における範囲は特に限定されないが、吸収体表面積の１０〜９０％であることが好ましい。本発明において「繊維密度」とは、繊維部材の所定領域における単位体積当りの繊維質量をいい、単に「密度」というときには特に断らない限りこの繊維密度をさす。密度の測定方法については、特に断らない限り、マイクロスコープ（キーエンス社製）を用いて体積を割り出し、吸収体の質量をその体積で除した値とする。また、吸収体等において密度に勾配をつけつとき、高密度（Ｄｈ）−低密度（Ｄｌ）の好ましい差（Ｄｈ−Ｄｌ）の範囲は２０〜８０％である。
【００１６】
本発明において「凹凸高密度化率」若しくは「エンボス率」とは、対象となる部材のエンボス等が施された領域における面積Ａに含まれる「凹凸高密度化された部分」若しくは「エンボス」の面積ａの総和の比率（Σａ／Ａ）をいう。ここで、面積Ａは、特に断らない限り、エンボス又は高圧搾部が５０〜１００箇所計測できる範囲とする。本発明の吸収性物品において、吸収体の下層部の排泄部対応位置における「凹凸高密度化率」若しくは「エンボス率」は特に限定されないが、エンボスが施されている領域において１０〜７０％であることが好ましい。
【００１７】
図１は本発明の吸収性物品における好ましい実施形態（実施形態１）としての生理用ナプキンを一部分破断して示した斜視図である。また図２（ａ）は図１のＩＩ−ＩＩ線に沿った拡大断面図、図２（ｂ）は図２（ａ）のＡ部の拡大図であり、吸収体内部における液の引き込み形態及び各層どうしの接触状態を示したものである。この実施形態１の生理用ナプキン１０は、本発明の要部である吸収体１と、この吸収体１を上下面で挟むように包囲する液透過性の表面シート２及び裏面シート３と、吸収体１の長手方向両端部を包むサイドシート４と、折り畳み前の吸収体素材と一体で折り畳まれる台紙８（図２）とを有している。裏面シート３の下面は若干粘着性が付与されており、これによって使用時には下着の裏面に軽く接着される。
なお、図２においては、明瞭化のため、吸収体１に対して表面シート２、裏面シート３、サイドシート４、台紙などは離間して示してあるが、実際には相互に密着して配置される。
【００１８】
図１にも明示されるように、表面シート２、裏面シート３、サイドシート４は長手方向に長さがほぼ等しく、かつ吸収体１の長手方向両端より若干長く張り出している。より具体的に説明すれば、まず、吸収体１の両側部を表裏面から挟むようにサイドシート４が付着され、次に表面シート２を吸収体１の表面からサイドシート４に重なるように裏面の側部にかけて張着され、さらに吸収体１の裏面側へ部分的に延びた表面シート２及びサイドシート４に重なるように裏面シート３が吸収体１の裏面に張着される。
【００１９】
なお、吸収体１を包囲する表面シート２、裏面シート３及びサイドシート４は、必ずしもこのような形態に限定されるものではなく、吸収体１の他の包囲形態、例えば、これらのシートを吸収体１の長手方向（Ｙ方向）だけでなく横幅方向（Ｘ方向）にも周縁部を外側へ張り出るようにし、また長手方向中央箇所で側方へ大きく耳状に伸長させてサイドウイング部を形成するようにしてもよい。この場合、前記サイドウイング部は、使用時に下着を挟み込むように下着表面側に折り畳まれる。なお、これらのシートの周縁の張り出し、及び前記サイドウイング部により、下着への装着が容易になるとともに、液体の漏れ、特に横漏れをさらに効果的に防止できる。このようなサイドウイング部を有する実施形態とする場合、図示した本実施形態１のナプキンとは側部の部材配置が異なる。すなわち、表面シート２及びサイドシート４を吸収体を巻き込むようにして裏面シート３で挟み込むのではなく、表面シート２及びサイドシート４を側部外方に張り出すように延在させて構成することができる。
【００２０】
吸収体１を物品内部で所望の位置に確実に配設保持し、形くずれや吸収体のずれを起さないように吸収体１の両端部に近接して表面シート２及び裏面シート３が吸収体１とともに、あるいは吸収体１にのみ帯状の接合部５を設けてもよい。この接合は例えば線状のエンボス手段によって行うことができ、これによって例えば使用者の装着状態で運動等による体勢の変化があっても、形くずれ等は防止される。また、強い圧搾による深いエンボス加工を両側部の近傍部分に施して防漏部６を形成してもよい。
【００２１】
実施形態１における吸収体１は、矩形平板状のパルプ積繊体で形成された吸収体素材（図示省略）の両側部が素材裏側へ折り畳まれ、その両端部が前記素材の裏面で近接あるいは突き合わせられ、これによって上層部１ａと下層部１ｂの２層構造の吸収体１となっている。したがって全体の厚みが大きく、柔軟性及びクッション性に富み、これによってフィット感及び安心感を与える厚みと吸収性とのバランスが確保される。なお、使用時には上層部が使用者の肌に接する側となる。
【００２２】
上記のように実施形態１による吸収体１は、両端部を切断して２枚重ねとした構成ではなく、両端部を折り曲げて２層構造としているので、両幹部の切断縁での硬化がなく好ましい。また、エンボスによる凹凸高密度部７（図２参照）は中央部の排泄部対応位置にのみに形成されるため、吸収体全体としては柔軟性があり、使用時の違和感を抑えることができる。本実施形態１の吸収体１は、両側の下層部の端部１ｔ，１ｔが互いに当接するようにされている。このとき下層部端部の当接とはばらつき等により幾分離間していてもよく、その離間距離は１０ｍｍ以下であることが好ましい。
【００２３】
図２に示すように、吸収体１の下層部１ｂは全体の横幅方向中央付近、より具体的には使用者の液排泄部に対応した部位（ここでは吸収ポイントと称する）付近にエンボス加工による凹凸高密度部７が形成されている。上層部１ａと下層部１ｂはこのエンボス凸部７ａで接触し、エンボス凹部７ｂではエンボス溝７ｄによる空隙が生じている。
【００２４】
このような高密度化をもたらすエンボス形状としては種々の形態が採用可能であるが、実施形態１としては、図３に示すように、長手方向及び横幅方向に配列された凹状の点エンボス９で形成されているものが挙げられる。なお、この点エンボス９は下層部１ｂの上面（上層部側）及び下面に同形態で対向するように形成される。
【００２５】
別の好ましいエンボス賦形の実施形態（実施形態２）として図４に示すように長手方向に連続した凹状の線状エンボス１１で凹凸高密度部が形成されているものが挙げられる。図示のように、これらの線状エンボス１１は横幅方向（Ｘ方向）には不連続であり、このような長手方向のエンボス部１１を形成することにより、液はエンボス部１１に沿って長手方向に伝達される傾向となり、横方向への液の拡散が少なくなり、液の横漏れが防止される。また、吸収体１の下層部１ｂの両端部近く、及び両端部近くには点エンボス（図３）、線状エンボス（図４）とも形成されず、長手方向及び横方向への液漏れも防止される。
【００２６】
次に、本発明のまた別の好ましい実施形態（実施形態３）について、図５を参照して説明する。本実形態においては、下層部１ｂの周辺における非エンボス部（低密度部）１３に対して、中央部の排泄部対応位置に設けられた凹凸高密度化されたエンボス部（凹凸高密度部）７は領域としてその繊維密度が高められている。この高密度部７は、その中で低密度となるエンボス凸部７ａと、より高密度のエンボス凹部７ｂとから構成される（図２、図５参照）。その結果、凹凸高密度部７の密度は、エンボス凸部７ａとエンボス凹部７ｂとをあわせて平均化した繊維密度、すなわち凹凸高密度部全体の質量（Ｗｏ）をその体積（Ｖｏ）で除した値となる。そしてエンボス凸部７ａとエンボス凹部７ｂとは、長手方向にみて連続し、幅方向にみて不連続とされている。このような幅方向にみて不連続な高密度領域の構成は図３〜図６に示した本実施形態１〜４において共通する。
【００２７】
図５に示す実施形態ではさらに凹状の点エンボス９の内側に、この点エンボス９よりも底の深い凹状の深底点エンボス１２が形成されている。すなわち、排泄部対応位置の凹凸高密度部７周囲の非エンボス部１３に比べて高密度となっているが、底の深い内側の深底点エンボス１２の部分を外側の点エンボス９の周辺部分よりも更に高い凹凸高密度部としてもよい。
【００２８】
このように下層部１ｂの吸収ポイントにおいて高密度領域と、更に密度の高い高密度領域を混在させることにより、下層部１ｂの平面上で密度勾配が生じ、上層部から高密度部へ引き込まれた液はより高い高密度領域へ取り込まれ、全体として下層部１ｂの液引込み性が向上し、また下層部１ｂの横幅方向への液拡散が防止される。
【００２９】
図６はさらにまた別の好ましい実施形態（実施形態４）を示す下層部１ｂを裏面側からみた平面図である。この実施形態では、図４に示す長手方向に延在した線状エンボス部１１内に、より底の深い凹状の深底線状エンボス１４が長手方向に間隔を置いて形成され、これによって下層部１ｂに連続して形成された高密度部分には、高圧搾部（深底線状エンボス部１４）と低圧搾部（線状エンボス部１１）とが長手方向に交互に形成された形態となっている。この実施形態においても、図５のエンボスパターンと同様に、高圧搾部領域と低圧搾部領域とを混在させることにより、下層部１ｂの平面に密度勾配が生じ、上層部から高密度部へ引き込まれた液は、高密度領域の低圧搾部から高圧搾部へと取り込まれ、全体として下層部の液引込み性が向上し、また、低圧搾部及び高圧搾部とも横幅方向には不連続となっているので、下層部で横幅方向への液拡散は防止される。
【００３０】
さらに、凹エンボス加工した領域に底の深いエンボス加工を行うので、より高密度のエンボスあるいは高圧搾部の成形性が向上する。また、長手方向に並ぶ凹状のエンボス部分に高圧搾部と低圧搾部とを交互に形成することにより、吸収体の長手方向の柔軟性が向上する。
【００３１】
図７はまた別の実施形態（実施形態５）に係る吸収体の部分的な長手方向断面図である。この実施形態では吸収体１の上層部１ａ下側に折り畳まれた下層部１ｂの端部１６，１７どうしが吸収体１の横幅方向中央部分で重なっている。この形態においては、吸収体１の中央部では下層部１ｂがこの重ね部分で２層となっており、したがって、上層部１ａと２層の下層部１ｂとで部分的に３層構造となっている。この重なり部分では一方の下層部１ｂの端部１６は上層部１ａの下面に接し、この部分の密度が両側周辺部より高密度にされている。
【００３２】
このような構成とすることにより、吸収体１の中央部で大きな密度勾配が生じ、上層部１ａからの液の引込み性が一層高くなるとともに、下層部１ｂでは中央部から周辺側へと液の拡散が生じ、全体として液の保持性も向上する。また、上層部１ａでは周辺部より中央部での密度を高くしても、下層部１ｂの端部の重なりにより、吸収体１の中央部全体での大きな密度勾配は失われず、上層部１ａでの液拡散防止、上層部１ａの中央側への液の集中、上層部１ａの中央から下層部１ｂへの液の引込みが良好に行われる。
【００３３】
上述の実施形態では下層部の高密度化は下層部上面と下面で同じに構成したが、これとは別の実施形態（実施形態６）では下層部の上下面で密度が異なるように形成されている。この場合、図８に示すように、下層部１ｂの下面２０の方を上面２１より高密度とすることにより、大きな密度勾配が生じ、下層部１ｂでの液の引込み性がさらに向上する。このように層内で上面側と下面側とにおける繊維密度の勾配を設けるためには、図示したもののように、上面側のエンボス溝７ｄと下面側のエンボス溝７ｃとの深さに差をつけることでなしうる。本実施形態では上面側のエンボス溝７ｄをより深くし、下面側の繊維密度を高める構成としている。また、これとは別にエンボス率が上下面で異なるように、下層の上面及び下面を賦形する実施態様があげられる。すなわち、上面側にあらわれるエンボスと下面側にあらわれるエンボスの間隔や面積が異なるようにして、上述のように好ましくは下面側を高密度にすることができる。たとえば、線エンボスのピッチが上面と下面とで異なるようにしてもよい。
【００３４】
本発明の吸収性物品においては、吸収体下層部の排泄部対応位置に設けられた凹凸高密度部に吸収性ポリマー材を排泄することが好ましい。吸収性ポリマー材は吸収性ポリマーを含有すれば、その他の成分を有していてもよいが、吸収性ポリマーのみからなることが好ましい。吸収性ポリマーとしては、使い捨ておむつや生理用ナプキン等の吸収体に通常使用されている各種のポリマー材料を用いることができ、例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられる。本発明において吸収性ポリマーは、自重の２０倍以上の水又は生理食塩水を吸収し保持し得る性能を有するような超吸収性高分子化合物、いわゆるＳ．Ａ．Ｐ．（Ｓｕｐｅｒ  Ａｂｓｏｒｂｅｎｔ  Ｐｌｙｍｅｒ）であることが好ましい。吸収性ポリマー材の形状は特に限定されないが、球形粒状のもの、不定形粉末状のもの、塊状のもの等が挙げられる。このように、吸収性物品の下層部に形成された凹凸高密度部に吸収性ポリマー材を配置することで、さらに液引き込み性が向上でき、また側部液漏れ防止効果も向上できる。
【００３５】
上記本発明の吸収性物品のける各実施形態として生理用ナプキンは、通常のこの種物品の製造工程により製造することができる。例えば、大別して台紙供給ロール、解繊機と、パルプ積繊機と、エンボス加工を行うプレス機と、折り畳み装置と、カッターと、シート付け装置とを有し、台紙やパルプ繊維等素材の供給から製品取り出しまで一連の搬送ライン上で自動的かつ連続的に吸収性物品の製造することができる。吸収体素材を折り畳んで吸収体とするときには、例えば折り畳み装置として、折り目付けローラ及び折り畳み用邪魔板を備えたものを用い、吸収体素材の側部を裏側へ折り返して、吸収体素材の中央部の裏面に重なるように折り畳むことができる。折り畳み装置としては、例えば特開平１１−１３７６０４の図４〜図７に開示されたものを参考にすることができる。
【００３６】
本発明の吸収性物品において表面シートは、液透過性であり肌への当りのソフトな材料からなることが好ましい。例えばコットン等の天然繊維を材料とする不織布や、各種合成繊維に親水化処理を施したものを材料とする不織布を用いることができる。裏面シートは液不透過性のシート材からなることが好ましい。裏面シートは必要に応じて水蒸気の透過性のものであってもよい。具体的に十分な水蒸気透過性を得るために、炭酸カルシウム等のフィラーからなる微粉を分散させたポリエチレン等の合成樹脂製のフィルムを延伸し、微細な孔をあけた多孔質フィルムを用いることが好ましい。サイドシートとしては、不織布、フィルムシート、紙等が挙げられる。防漏性の観点からは、サイドシートを液不透過性又は難透過性である疎水性不織布、防漏性のフィルムシート等により形成することが好ましい。上記シートは一枚でもよいし、さらに機能性のシート等と組み合わせて２枚以上のものとしてもよい。吸収体の形成材料としては、通常吸収性物品に用いられるものを用いることができる。具体的には例えば、繊維集合体又はこれと高分子吸水ポリマーとを併用させたもの等を用いることができる。繊維集合体を構成する繊維としては、パルプ繊維等の親水性天然繊維や、合成繊維（好ましくは親水化処理を施したもの）等を用いることができる。
【００３７】
上記各実施形態においては、本発明の吸収性物品について生理用ナプキンを例に詳しく説明したが、本発明はこれに限定されず、様々な吸収性物品において効果を奏するものである。本発明の吸収性物品として例えば、生理用ナプキンのほか、失禁用パット、おむつ、ペット用シーツなどが好ましい実施形態として挙げられる。
【実施例】
【００３８】
本発明について実施例に基づきさらに詳細に説明するが、本発明はこれにより限定して解釈されるものではない。
（実施例）
以下のようにして図１に示した生理用ナプキン試験体１を作製した。表面シートとしてポリエチレンとポリエステルによる芯鞘構造の２．２ｄｔｅｘ繊維（大和紡績（株）製ＮＢＦ（ＳＨ）［商品名］、表面親水性処理済み）をカード法によりウエブ化した後、熱処理温度１３３℃のエアスルー法により不織布化した不織布を用い、裏面シートとしてポリエチレン製のフィルムを用いた。台紙は１６ｇ／ｍ２の吸収紙（伊野紙製）を使用し、解繊機に仕込むパルプ繊維としてはウエハウザー製のＮＢ４１６Ｌ［商品名］を用いた。製造した生理用ナプキンの寸法は、長手方向（Ｙ方向）が約２０５ｍｍ、幅方向（Ｘ方向）が７０ｍｍであった。表面シートの厚みは０．４ｍｍであり、坪量は２５ｇ／ｍ２であった。裏面シートは凹凸表面処理が施されており、その厚みは２２μｍｍであり、坪量は２０ｇ／ｍ２であった。
【００３９】
吸収体は図１及び図２に示したように長手方向に沿って２つ折りに折り畳まれた上層部と下層部から構成されている。折り畳まれた吸収体は長さ（Ｙ方向）１７５ｍｍであり、幅（Ｘ方向）６８ｍｍであった。また、吸収体全体の厚さは５ｍｍであり、上層部の厚さは約２．５ｍｍであり、下層部の厚さは約２．５ｍｍであった。吸収体全体の坪量は２４０ｇ／ｍ２であり、上層部の坪量は１２０ｇ／ｍ２であり、下層部の坪量は１２０ｇ／ｍ２であった。
【００４０】
吸収体１は図６に示したような下層部に高圧搾部と低圧搾部を有する６本の線状エンボス部が施されたものとした。１本の線状エンボスの全体長さｒｅは約１２０ｍｍであり、幅ｒｃは約２ｍｍであった。高圧搾部の長さｒｂは約１ｍｍであり、低圧搾部の長さはｒａは約１．５ｍｍであった。また吸収体の全長は１７５ｍｍ、横幅は６８ｍｍである。下層部のエンボス率は４５％であった。吸収体の厚みは４．５ｍｍであった。
【００４１】
「表面液残り量の測定・算出手段」
試験液の馬血を滴下して約１分後の試験体を解体し、馬血を滴下した部分を含む表面シートを切り出し、その質量（Ｗｆ）を測定した。一方、馬血を滴下しない同面積の表面シートの質量（Ｗｉ）を予め測定しておき、滴下前後の質量の差（Ｗｆ−Ｗｉ）を求め、これを液残り量とした。この液残り量が少ないほど良く、この値が３０ｍｍｇ以下であるとき実用上高いレベルで満足を得ることができる。
【００４２】
「表面側液拡がり面積の測定・算出手段」
上記馬血を滴下して約１分後の試験体を表面シート側から画像解析機（ＮＥＸＵＳ社製、画像解析ソフトＮＥＷ  ＱＵＢＥ（ｖｅｒ．４．２０）、光源（サンライト  ＳＬ−２３０Ｋ２；ｍｍ／Ｆ２．８Ｄニッコールレンズ）、ＣＣＤカメラ［（ＨＶ−３７；日立電子（株）社製）Ｆマウントによるレンズとの接続］及びビデオボード［スペクトラ３２００；カノプース（株）社製］を用いて撮影し、この撮影画像から馬血により染色されている部分の面積を算出した。この漏れ拡がり面積が小さいほど良く、この値が１０ｍｍ２以下であれば、実用上高いレベルで満足を得ることができる。
【００４３】
（比較例）
比較例として、上記試験体と同じ坪量で、エンボス無しの単層吸収体を用いた生理用ナプキン試験体ｃ１と、同じ坪量でエンボス率２．２％の単層吸収体を用いた生理用ナプキン試験体ｃ２と、同坪量でエンボス率７．６％の単層吸収体を用いた生理用ナプキン試験体ｃ３とを用い、表面側液残り量（ｍｇ）と表面側液拡がり面積（ｃｍ２）及び同じ坪量での吸収体厚みを試験した。その結果を表１に示す。
【００４４】
［表１］
−−−−−−−−−−−−−−−−−−−−−−−−−−−−−−−−−−
試験体    吸収体厚さ      表面シート液残り量    表面側液拡がり面積
（ｍｍ）        （ｍｇ）                （ｍｍ２）
−−−−−−−−−−−−−−−−−−−−−−−−−−−−−−−−−−
ｃ１        ５．８            ７５                  １０
ｃ２        ４．９            ６０                  １０
ｃ３        ２．８            ２５                  １３
１        ４．５            ３０                  １０
−−−−−−−−−−−−−−−−−−−−−−−−−−−−−−−−−−
【００４５】
この結果からも明らかなように、本発明の吸収体（試験体１）では表面側の液残り量は３０ｍｇと少なく、比較例の試験体ｃ１，ｃ２と比べてきわめて良好であった。また表面側の液拡がり面積も小さく、良好であった。吸収体の厚みも同じ坪量の比較例ｃ２と変わりない程度に大きく、良好であった。
【００４６】
以上説明したように本発明の好ましい実施形態によれば、矩形状のパルプ積繊の長手方向側部にエンボス加工を施した上で、前記側部を中央部の裏側へ折り畳む構成としたので、中央の上層部から下層部へかけて密度勾配が生じ、上層部から下層部への液引込み力が向上し、また吸収体表面での液拡散が抑制され、吸収体表面のドライ感が向上する。そして、装着時の違和感もなく、吸収体の液吸収性とフィット感や安心感を与える吸収体厚みのバランスを確保できる等の効果がもたらされる。
【図面の簡単な説明】
【００４７】
【図１】本発明の吸収性物品の好ましい実施形態（実施形態１）としての生理用ナプキンを一部分破断して模式的に示した斜視図である。
【図２】図１のＩＩ−ＩＩ線に沿った拡大断面図（ａ）及びそのＡ部拡大断面図（ｂ）である。
【図３】本実施形態１おける吸収体下層部の点エンボスの形成状態を示す平面図である。
【図４】本発明の別の好ましい実施形態（実施形態２）の吸収体下層部の線状エンボスの形成状態を示す平面図である。
【図５】本発明のまた別の好ましい実施形態（実施形態３）による吸収体下層部の線状エンボスの形成状態を示す平面図である。
【図６】本発明のさらにまた別の好ましい実施形態（実施形態４）による吸収体下層部の線状エンボスの形成状態を示す平面図である。
【図７】本発明のまた別の好ましい実施形態（実施形態５）の吸収体の幅方向拡大断面図である。
【図８】本発明のさらにまた別の好ましい実施形態（実施形態６）の吸収体の部分的な幅方向拡大断面図である。
【符号の説明】
【００４８】
１  吸収体
１ａ  上層部
１ｂ  下層部
２  表面シート
３  裏面シート
４  サイドシート
５  接合部
７  凹凸高密度部（エンボス部）
７ａ  エンボス凸部
７ｂ  エンボス凹部
８  台紙
９  点エンボス
１０  生理用ナプキン
１１  線状エンボス部
１２  深底点エンボス
１３  低密度部（非エンボス部）
１４  深底線状エンボス
【図１】
2010104546.tif 000003
【図２】
2010104546.tif 000004
【図３】
2010104546.tif 000005
【図４】
2010104546.tif 000006
【図５】
2010104546.tif 000007
【図６】
2010104546.tif 000008
【図７】
2010104546.tif 000009
【図８】
2010104546.tif 000010